(57)【要約】【目的】検出素子の内、外周面の酸素濃度差によって発生する起電力に基づいて、ガス濃度を検知する酸素センサ等で、その出力取り出し用の外周面電極端子が、白金等の貴金属からなり、これに接続される外周面用端子金具の有端環状端子部が、素子に外嵌されて接続されるもので、その電気的な接続の信頼性が損なわれることなく、該外周面電極端子を形成する貴金属の使用量を低減する。【構成】外周面電極端子２６を、従来の無端の環状ではなく、検出素子２１の軸線Ｇ回りに所定の角度α（例えば９０〜１２０度）の範囲で形成し、端子金具９１の有端環状端子部９３が、検出素子２１に外嵌されている状態で、外周面電極端子２６が形成されていない同素子２１の外周面部位を周方向に跨ぎ、かつ、有端環状端子部９３の周方向の各端９２，９２側においてその端が外周面電極端子２６に圧接するようにした。【選択図】     図２
2014002052.tif 000002
【特許請求の範囲】
【請求項１】
先端が閉じられた中空軸状をなす検出素子の後端側外周面に形成された外周面電極端子に対し、外周面用端子金具が圧接されることによって電気的に接続されてなる端子接続構造を有するガスセンサであって、
前記外周面用端子金具は、有端環状に形成された有端環状端子部を備えており、この有端環状端子部が、自身のバネ性によって拡径状に変形して前記検出素子に外嵌されることによって前記外周面電極端子に圧接されて電気的に接続されてなる端子接続構造を有するガスセンサにおいて、
前記外周面電極端子は、検出素子の周方向において、無端の環状ではなく該検出素子の軸線回りに所定の角度αで、しかも、角度αは、前記有端環状端子部が検出素子に外嵌された際におけるその各端相互の間をなす開口の前記軸線回りの角度βよりも大きく形成されている一方、
前記外周面用端子金具における前記有端環状端子部が、前記検出素子に外嵌されている状態において、前記外周面電極端子が形成されていない該検出素子の外周面部位を前記有端環状端子部が周方向に跨ぎ、かつ、該有端環状端子部の周方向の各端側において該端又は該端寄り部位が、前記外周面電極端子に圧接されて電気的に接続されてなる端子接続構造を有することを特徴とするガスセンサ。
【請求項２】
前記外周面電極端子は、前記軸線回りの角度αが、１８０度未満となる範囲で形成されている一方、
前記有端環状端子部は、前記検出素子に外嵌されている状態において、有端環状端子部の周方向に沿う各端相互の間の前記軸線回りの角度γが、２７０度以上となる範囲で形成されていることを特徴とする請求項１に記載のガスセンサ。 
【請求項３】
前記有端環状端子部の周方向の両端とも、前記検出素子の外周面の前記外周面電極端子に向かうように、各端寄り部位が折り曲げられていることを特徴とする請求項１又は２に記載のガスセンサ。
【請求項４】
前記外周面電極端子は、前記検出素子の先後において平行であり、かつ該検出素子の外周面において軸線回りに延びる複数の線状部と、これら線状部を連結する連結線とから形成されていることを特徴とする請求項１〜３のいずれか１項に記載のガスセンサ。
【請求項５】
前記外周面電極端子は、前記検出素子の外周面を正面視したとき、該検出素子の軸線に関して左右対称に形成されていることを特徴とする請求項１〜４のいずれか１項に記載のガスセンサ。
【請求項６】
前記外周面電極端子は、前記検出素子の外周面を正面視したとき、該検出素子の軸線に関して左右非対称に形成されていることを特徴とする請求項１〜４のいずれか１項に記載のガスセンサ。
【請求項７】
請求項１〜６のいずれか１項に記載のガスセンサの製造方法であって、
前記外周面用端子金具における前記有端環状端子部を、前記検出素子に外嵌してその外周面電極端子に圧接させるのに、該検出素子の後方において前記有端環状端子部を同軸線状の配置とした後、
前記有端環状端子部又は前記検出素子を軸方向に移動して、前記有端環状端子部を前記検出素子に外嵌することによって、該有端環状端子部の周方向の各端側において、該端又は該端寄り部位を、前記外周面電極端子に圧接させて電気的に接続する工程を含む、前記ガスセンサの製造方法において、
前記検出素子の外周面のうち、前記外周面電極端子が形成されている先後範囲内の領域において、該外周面電極端子とは離間した部位に位置識別部を設けておき、
該検出素子の後方において前記有端環状端子部を同軸線状の配置とした段階において、
前記位置識別部を基準位置として、前記検出素子と前記有端環状端子部との軸線回りの位置の関係が、上記圧接が得られることになる正規位置にあるかを検出し、正規位置にないとき、前記検出素子又は前記有端環状端子部を軸線回りに回転して正規位置となるように位置合わせする位置合わせ工程を含ませたことを特徴とする、ガスセンサの製造方法。
【請求項８】
請求項７において、前記検出素子の外周面のうち、前記外周面電極端子が形成されている先後範囲内の領域において、該外周面電極端子とは離間した部位に位置識別部を設けておく、ことに代えて、
前記外周面電極端子が、前記位置識別部をなすものとしたことを特徴とする、ガスセンサの製造方法。
【発明の詳細な説明】
【技術分野】
【０００１】
本発明は、内燃機関などから排出される排気ガスなどの被測定ガス中の酸素濃度を検出するための酸素センサ等のガスセンサ（以下、単にセンサともいう）及びその製造方法に関する。
【背景技術】
【０００２】
この種のガスセンサの代表的なものの１例としては、図１２に示したような構造のものがある（特許文献１）。この酸素センサ１０１は、先端（同図下端）２２が閉塞された中空軸状（筒状）の固体電解質からなる検出素子２１と、この検出素子（以下、単に素子ともいう）２１を内側に保持して、排気ガス管に取付けられる金具本体（主体金具ともいわれる）１１等からなっている。この酸素センサ１０１は、金具本体１１を介して内燃機関の排気ガス管に取付けられ、素子２１の先端２２側の内周面（内壁面）の内部電極（基準電極。図示せず。）２８を基準ガス（大気）に、外周面（外壁面）の外部電極（測定電極）２４を排気ガスに接触させ、検出素子２１の内、外面の酸素濃度差に対応して両電極間に起電力を生じさせ、この起電力に基づく信号を制御回路に出力し、排気ガス中の酸素濃度を検出して空燃比制御するのに使用される。
【０００３】
図１２に示したセンサ１０１に使用されている検出素子２１は、その内、外周面に形成された内部電極２８及び外部電極（以下、それぞれ単に電極ともいう）２４のそれぞれに連なるよう、素子２１の後端寄り部位の内、外周面に内周面電極端子（図示せず。）２９、外周面電極端子２６を有している。これら両電極端子２９，２６は、いずれも周方向に連なる環状に形成され、それぞれに、内周面用端子金具７１，外周面用端子金具９１が接続されている。そして、その各後端（同図上端）に接続された出力取り出し用のリード線４１が、センサ１０１の後端から外部に引き出されており、上記信号を出力するよう構成されている。
【０００４】
図１３は、図１２に示したセンサ１０１に使用されている検出素子２１と、その外周面電極端子２６と接続される外周面用端子金具（アース端子）９１、そして、その接続状態を説明する図である。この外周面用端子金具９１は、図１３の上に示したように、その先端（図示下部）寄り部位に、金属板を曲げるなどして、円筒（又はリング）におけるその一側に開口（切れ目）Ｍがある有端環状端子部９３を備えている。この有端環状端子部９３は、横断面がＣ字形（又はランドルト環形状）を呈しており、自由状態では検出素子２１の後端寄り部位の外径より小さく形成されている。そして、この有端環状端子部９３は、図１３の左図に示したように、検出素子２１の後端寄り部位に、同軸配置（両者の軸線Ｇに沿う配置）とされた状態において押込まれることにより、図１３の右図に示したように外嵌される。すなわち、この外嵌においては、自身のバネ性により、有端環状端子部９３が押し広げられる（拡径する）形で変形する。図１３中の素子２１における先端寄り部位の外周面にダブルハッチングで示した部位が、排気ガスに曝される外周面電極２４であり、その後端寄り部位の外周面にダブルハッチングで示した部位が外周面電極端子２６であり、軸線（軸）Ｇに沿って縦に延びるダブルハッチングで示した帯状部がこの両者を接続する中継線部２５である。前記したように外周面用端子金具９１は、その有端環状端子部９３を、センサの組立過程において、検出素子２１の後端寄り部位に圧入等によって外嵌（嵌合）され、その内周面を、外周面電極端子２６に圧接させることで、電気的に接続される。
【０００５】
ところで、このような検出素子２１の後端寄り部位の外周面に形成されている外周面電極端子２６は、上記もしたように、従来、素子２１の外周面に、その周方向において連なる環状のものとして形成されていた。すなわち、外周面電極端子２６は、検出素子２１の軸線Ｇ回りに、所定の幅で、例えば、帯状に一周する無端環状をなすものとして形成されていた。一方、かかる外周面電極端子２６は、検出素子形成用の未焼成の成形体（未焼成セラミック成形体）の段階において、中継線部２５等の形成と共に、メタライズペーストを印刷し、同時焼成により形成されていた。
【先行技術文献】
【特許文献】
【０００６】
【特許文献１】特開２００１−０６６２８１号公報
【特許文献２】特開２００７−２７８８０６号公報
【発明の概要】
【発明が解決しようとする課題】
【０００７】
ところで、この検出素子２１における外周面電極端子２６等を形成するメタライズペーストには、Ｐｔ（白金）等の貴金属を主成分とするものが使用される。このような貴金属は当然のことながら極めて高価である。このため、これが検出素子、ひいてはセンサのコストアップの要因となっていた。こうしたことから、そのコストダウンのためには、外周面電極端子２６等の形成に使用されるその貴金属の使用量の低減を図ることが重要である。
【０００８】
その手法として本願発明者は、検出素子の外周面において帯状（線状）に周回して形成される外周面電極端子２６について、その幅（検出素子の先後方向の線の幅）を小さくすることを考えたが、単にその幅を小さく（細く）すると、断線の危険性が増すという問題がある。とくに、上記したように、外周面用端子金具９１の有端環状端子部９３を、検出素子２１に外嵌するのに圧入方式を用いる場合には、それが外周面電極端子に強く擦り付けられること等により、断線を招きやすい。
【０００９】
また、別案として、外周面電極端子２６を、検出素子の軸線回りに、例えば、１／４周（９０度）とか１／３周（１２０度）の範囲に、短く形成することも考えた。ところが、単にこのようにすると、端子金具の有端環状端子部９３とで所望とする圧接が得られないという危険性がある。理由は次のようである。検出素子２１の後端寄り部位に、外嵌され、その外周面電極端子２６に圧接される外周面用端子金具９１における有端環状端子部９３は、その内周面の全周において、外周面電極端子２６に圧接されるとは限らない。実際、有端環状端子部９３の横断面がＣ字形をなすものでは、強い圧接を確保するため、例えば、周方向におけるそのＣ字の両端（又は両端寄り部位）と、その中間部位の３箇所における内周面で、局所的に圧接させるようにしたものも使用されている。このため、単に、外周面電極端子２６を短く形成すると、外嵌時に、その有端環状端子部９３の両端の圧接点（２箇所）が、短い外周面電極端子２６を跨いでしまったり、圧接が得られるとしても中間部位のみの１箇所しか得られないということがあるなど、所望とする圧接による電気的接続が得られないことがある。
【００１０】
本発明は、上記課題に基づいてなされたもので、電気的な接続、或いはその信頼性が損なわれることなく、検出素子の外周面電極端子を形成するためのメタライズペーストなどの貴金属の使用量を低減し得るようにし、もって検出素子ひいてはガスセンサのコスト低減が図られるようにすることをその目的とする。
【課題を解決するための手段】
【００１１】
前記の目的を達成するため、請求項１記載の発明は、先端が閉じられた中空軸状をなす検出素子の後端側外周面に形成された外周面電極端子に対し、外周面用端子金具が圧接されることによって電気的に接続されてなる端子接続構造を有するガスセンサであって、
前記外周面用端子金具は、有端環状に形成された有端環状端子部を備えており、この有端環状端子部が、自身のバネ性によって拡径状に変形して前記検出素子に外嵌されることによって前記外周面電極端子に圧接されて電気的に接続されてなる端子接続構造を有するガスセンサにおいて、
前記外周面電極端子は、検出素子の周方向において、無端の環状ではなく該検出素子の軸線回りに所定の角度αで、しかも、角度αは、前記有端環状端子部が検出素子に外嵌された際におけるその各端相互の間をなす開口の前記軸線回りの角度βよりも大きく形成されている一方、
前記外周面用端子金具における前記有端環状端子部が、前記検出素子に外嵌されている状態において、前記外周面電極端子が形成されていない該検出素子の外周面部位を前記有端環状端子部が周方向に跨ぎ、かつ、該有端環状端子部の周方向の各端側において該端又は該端寄り部位が、前記外周面電極端子に圧接されて電気的に接続されてなる端子接続構造を有することを特徴とする。
【００１２】
請求項２記載の発明は、前記外周面電極端子は、前記軸線回りの角度αが、１８０度未満となる範囲で形成されている一方、
前記有端環状端子部は、前記検出素子に外嵌されている状態において、有端環状端子部の周方向に沿う各端相互の間の前記軸線回りの角度γが、２７０度以上となる範囲で形成されていることを特徴とする請求項１に記載のガスセンサである。 
【００１３】
請求項３記載の発明は、前記有端環状端子部の周方向の両端とも、前記検出素子の外周面の前記外周面電極端子に向かうように、各端寄り部位が折り曲げられていることを特徴とする請求項１又は２に記載のガスセンサである。
請求項４記載の発明は、前記外周面電極端子は、前記検出素子の先後において平行であり、かつ該検出素子の外周面において軸線回りに延びる複数の線状部と、これら線状部を連結する連結線とから形成されていることを特徴とする請求項１〜３のいずれか１項に記載のガスセンサである。
【００１４】
請求項５記載の発明は、前記外周面電極端子は、前記検出素子の外周面を正面視したとき、該検出素子の軸線に関して左右対称に形成されていることを特徴とする請求項１〜４のいずれか１項に記載のガスセンサである。
請求項６記載の発明は、前記外周面電極端子は、前記検出素子の外周面を正面視したとき、該検出素子の軸線に関して左右非対称に形成されていることを特徴とする請求項１〜４のいずれか１項に記載のガスセンサである。
【００１５】
請求項７記載の発明は、請求項１〜６のいずれか１項に記載のガスセンサの製造方法であって、
前記外周面用端子金具における前記有端環状端子部を、前記検出素子に外嵌してその外周面電極端子に圧接させるのに、該検出素子の後方において前記有端環状端子部を同軸線状の配置とした後、
前記有端環状端子部又は前記検出素子を軸方向に移動して、前記有端環状端子部を前記検出素子に外嵌することによって、該有端環状端子部の周方向の各端側において、該端又は該端寄り部位を、前記外周面電極端子に圧接させて電気的に接続する工程を含む、前記ガスセンサの製造方法において、
前記検出素子の外周面のうち、前記外周面電極端子が形成されている先後範囲内の領域において、該外周面電極端子とは離間した部位に位置識別部を設けておき、
該検出素子の後方において前記有端環状端子部を同軸線状の配置とした段階において、
前記位置識別部を基準位置として、前記検出素子と前記有端環状端子部との軸線回りの位置の関係が、上記圧接が得られることになる正規位置にあるかを検出し、正規位置にないとき、前記検出素子又は前記有端環状端子部を軸線回りに回転して正規位置となるように位置合わせする位置合わせ工程を含ませたことを特徴とする。
請求項８記載の発明は、請求項７において、前記検出素子の外周面のうち、前記外周面電極端子が形成されている先後範囲内の領域において、該外周面電極端子とは離間した部位に位置識別部を設けておく、ことに代えて、
前記外周面電極端子が、前記位置識別部をなすものとしたことを特徴とする、ガスセンサの製造方法である。
【発明の効果】
【００１６】
請求項１に記載の本発明においては、検出素子の外周面電極端子を、軸線回りに所定の角度範囲αで、無端環状のものではなく、有端のものとして形成している。このため、その外周面電極端子を形成すべき、白金等の貴金属からなるメタライズ層の形成範囲を、従来の検出素子におけるように、軸線回りに無端で、全周（３６０度）形成していた場合と比較すると、その貴金属の使用量を確実に低減できる。したがって、その分、低コスト化が図られる。しかも、外周面用端子金具における有端環状端子部を、この外周面電極端子に、上記構成の配置において外嵌したことから、圧接による電気的な接続も、その周方向の各端側において、その端又は端寄り部位で、それぞれ少なくとも１箇所、合わせて少なくとも２箇所で外周面電極端子に圧接させている。これにより、その接続の信頼性も高い。本発明によれば、このように外周面電極端子を短く形成すると共に、外周面用端子金具における有端環状端子部の配置を、上記特有の位置関係としたことによって、電気的な接続の信頼性が損なわれることもなく、ガスセンサの低コスト化が図られる。
【００１７】
本発明において、貴金属の使用量の低減化のためには、前記外周面電極端子の前記軸線回りの角度αは、なるべく小さくするのがよく、１８０度未満とするのがよいが、好ましくは、９０度〜１２０度の範囲である。一方、上記外周面用端子金具における有端環状端子部の開口（切れ目）の角度、すなわち、これが検出素子に外嵌された際におけるその各端相互の間をなす開口の前記軸線回りの角度β（Ｃ字の開口角度）については、検出素子からの離脱ないし分離の防止の観点からはなるべく小さくすべきである。すなわち、前記有端環状端子部は、前記検出素子に外嵌されている状態において、その周方向に沿う各端相互の間の前記軸線回りの角度γは、３６０度に近い方がよいが、実用上、２７０度以上あればよい。いずれにしても、該有端環状端子部の周方向の各端側において、該端又は該端寄り部位が、前記外周面電極端子に確実に圧接し得るように、角度α、βの大きさを設定すればよい。なお、外周面用端子金具は、例えば、適度のバネ性、強度のある金属薄板（ＳＵＳ）を、打ち抜き、曲げ加工等により、自由状態で、該有端環状端子部の内径が、検出素子において外嵌される部位の外周面の外径より小さい概略円筒形であって、一側が開口しているものとして形成すればよい。
【００１８】
請求項３に記載の本発明においては、端子金具における有端環状端子部の各端側において、外周面電極端子に対して、その折り曲げられた端寄り部位の端が、外周面電極端子に圧接されるため、一層、局所的かつ強い圧接が確保される。これにより、エンジンやその他の外力に起因するの振動がセンサに作用したとしても、検出素子に対する外周面用端子金具の緩みや、動きの発生を効率的に防止できるため、より一層、電気的接続の信頼性が高められる。前記外周面電極端子は、検出素子の外周面に円弧状に巻かれる１つの帯状（線状）のものとしてもよいし、任意形状のものとして形成してもよい。一方、請求項４に記載のように形成すると、有端環状端子部の各端側における、圧接箇所の数を増加させることができるので、電気的接続の信頼性が高められる。
【００１９】
前記外周面電極端子は、請求項５、又は６に記載のように、検出素子を正面視したとき（検出素子の軸線に垂直方向から外周面（一側）を見たとき）、その軸線に関して、左右対称でも、左右非対称でもよい。ただし、いずれのものとする場合でも、例えば、左右の幅方向の中心などに、基準位置となる位置識別部（目印）を形成しておくのがよい。というのは、前記ガスセンサの製造方法においては、請求項７に記載のように、前記外周面用端子金具における前記有端環状端子部を、前記検出素子に外嵌してその外周面電極端子に圧接させるのに、該検出素子の後方において前記有端環状端子部を同軸線状の配置とした後、前記有端環状端子部又は前記検出素子を軸方向に移動して、前記有端環状端子部を前記検出素子に外嵌、すなわち、押込む形で圧入するのが効率的である。
【００２０】
一方、その圧入においては、その圧入の終了時に、該有端環状端子部の周方向の各端側において、該端又は該端寄り部位を、前記外周面電極端子に圧接させるのが効率的かつ合理的である。他方、このためには、両者を同軸線状の配置とした段階で、上記圧接が得られることになる正規位置にあるかを検出（判定）する必要があり、その検出のためには、前記基準位置となる位置識別部（目印）を設けておくのが好ましいためである。なお、この位置識別部（目印）は外周面電極端子の一部又は全体に形状的な特徴を付与することでも設けることができるが、前記外周面電極端子と、起電力発生用の外部電極とをつなぐために素子の外周面において軸線に沿って延びる中継線部を位置識別部（目印）として用いてもよい。また、請求項７に記載のガスセンサの製造方法におけるように、前記検出素子の外周面のうち、前記外周面電極端子が形成されている先後範囲内の領域において、該外周面電極端子とは離間した部位に位置識別部を設けておいてもよい。このような位置識別部は、その領域内において離間した部位にあれば、いずれの部位（位置）に設けてもよいが、特に、該外周面電極端子の左右の両端の中間部位、すなわち、前記検出素子の外周面のうち、該外周面電極端子が設けられている部位の１８０度反対側に設けるとよい。なお、この位置識別部は、例えば、該外周面電極端子用のメタライズペスートの印刷過程で同時に設けてもよいが、それとは別途にマーキングする等して設けてもよい。請求項７に記載のガスセンサの製造方法によれば、電気的接続の信頼性の高い上記端子接続構造を有する請求項１〜６に記載のガスセンサを効率的に得ることができる。なお、請求項８記載の発明のように、請求項７において、前記位置識別部を前記外周面電極端子（自体）がなすものとしてもよい。
【図面の簡単な説明】
【００２１】
【図１】本発明のガスセンサを具体化した実施の形態を説明する正面縦断面図及び要部拡大図。
【図２】図１の要部拡大図中のＡ−Ａ線における、有端環状端子部の外周面電極端子に対する圧接状態の説明用の拡大断面図。
【図３】図１のガスセンサに用いた検出素子と外周面用端子金具、並びに、その接続状態を説明する各斜視図。
【図４】図３において、検出素子を、その外周面電極端子が素子の軸線に関して左右対称となる配置において正面視した要部拡大図。
【図５】図２において、外周面用端子金具の有端環状端子部の別例を説明する図。
【図６】図２において、外周面用端子金具の有端環状端子部の別例を説明する図。
【図７】図１のガスセンサの組立て工程（素子の後端寄り部位に外周面用端子金具の有端環状端子部を外嵌する工程）を説明する図。
【図８】検出素子に、位置識別部を外周面電極端子とは別に設けた例を説明する図であって、Ａは、外周面電極端子が軸線に関して左右対称となる配置を正面として見た要部拡大図、Ｂは、その外周面電極端子と正反対の背面にある位置識別部を正面として見た要部拡大図、そして、Ｃは、Ｂにおいて素子を後端側から見た図（平面図）。
【図９】図４において、検出素子の外周面電極端子の別例を説明する図。
【図１０】図４において、検出素子の外周面電極端子の別例を説明する図。
【図１１】図４において、検出素子の外周面電極端子の別例を説明する図。
【図１２】従来のガスセンサの正面縦断面図。
【図１３】図１２のガスセンサに用いた検出素子と外周面用端子金具、並びに、その接続状態を説明する各斜視図。
【発明を実施するための形態】
【００２２】
以下、本発明を具体化した実施の形態について、図１〜図１１に基づいて詳細に説明する。ただし、本形態では、排気ガス中の酸素濃度を検出する酸素センサにおいて具体化したものであり、まずこのセンサ１０１の全体の構成について詳細に説明する。酸素センサ１０１は、段付円筒状をなす金具本体１１の内側に、同軸で、内外壁面にそれぞれ電極（層）（図示せず）を有し先端２２が閉塞された筒状（中空円軸状）の検出素子２１が気密を保持して固定されている。この検出素子２１の詳細については後述するが、本例での検出素子２１は、中間部に外径が大径とされた大径部２３を備えており、先端２２は金具本体１１の先端から突出している。
【００２３】
この検出素子２１は、金具本体１１の内側の段部にワッシャ５１を介してセラミックホルダ５２を配置し、このセラミックホルダ５２の図示上部内周縁の凹部に、その大径部２３を板パッキン（図示せず）を介して受けさせ、さらにシール材（滑石）５３、及び押圧用リング５４等を介在させ、シール材５３を圧縮して気密状に金具本体１１内に固定されている。なおこの固定は、金具本体１１の後端（図示上端）の内側において、押圧用リング５４の後端に平ワッシャ５５を配置し、金具本体１１の後端の薄肉筒部１８の端部を内側に曲げて先端側に圧縮するようにかしめることによっている。なお、金具本体１１は、図示上下方向の中間部位の外周にねじ込み用多角形部１２を備えており、それより先端側には、排気管へのねじ込み用のねじ部１４、小径筒部１６を順次一体的に備えており、この小径筒部１６には、突出する検出素子２１の先端を保護する通気孔付の保護カバー２０が取り付けられている。
【００２４】
また、多角形部１２と後端の薄肉円筒部１８との間には厚肉円筒部１７を備えており、この厚肉円筒部１７には、詳しくは後述するが、ケーシングをなす異径円筒状の保護筒３１における先端側の大径部３２が外嵌され、同保護筒３１の先端をねじ込み用多角形部１２の後端に当接した状態の下で、加締めた上で、全周をレーザー溶接することで固定されている。なお、金具本体１１のねじ込み用多角形部１２とねじ部１４との間には、シール用ワッシャー９が嵌められている。ここまでに説明した構成のうち、異径円筒状の保護筒３１が金具本体１１の厚肉円筒部１７に外嵌されて溶接される前の状態は、図７の左図の下に示した検出素子側半組立体２０１の部位に相当する。
【００２５】
ここで検出素子２１について詳細に説明する。本例において使用している検出素子２１は、同心異径で先端２２が閉じられた中空の円軸をなしており、その内側である中空部は、横断面が円形で先端に向かって若干縮径するテーパ状とされている。また、図３に示したように、外周面は、中間部における大径部２３を挟んで、その後方（図１の上方）が、それより細い略直管状をなす円筒部位２０ｂをなしている。そして、大径部２３より先方は先細りテーパ円筒部２０ａをなし、先端２２は半球面状をなしている。また、検出素子２１の後端（後端部）２７と、その内、外周面の各角には面取りＣ１、Ｃ２が付けられており、後述する内周面用端子金具７１，外周面用端子金具９１を同後端２７寄り部位に、押込み、圧入による内嵌、又は外嵌する際のガイドをなすようにされている。
【００２６】
この検出素子２１の後端寄り部位の内、外周面には、内周面電極端子（図示せず）、外周面電極端子２６が、それぞれ形成されており、先端寄り部位に設けられた内周面電極（図示せず）、外周面電極２４に、その内、外周面に軸線方向に沿って形成された、内周面側の中継線部（図示せず）と、外周面側の中継線部２５とを介して、それぞれ接続されている。このうち、図示しない内周面電極端子は無端の環状のものとして素子の内周面に形成されている。一方、外周面電極端子２６は、図２〜図４に示したように、検出素子２１の周方向において、無端の環状ではなく該検出素子２１の軸線Ｇ回りに、図２中、黒塗り円弧で示したように、所定の角度αで形成されている。この角度αは、例えば９０度〜１２０度の範囲内とされる。また、外周面電極端子２６は、本例では検出素子２１の先後において所定（一定）の幅で、周方向に帯状に延びるように形成されている（図３、図４参照）。しかも本例では、図４に示したように、外周面電極端子２６は、検出素子２１を正面視（軸線Ｇに垂直にその外周面を見たとき）したとき、中継線部２５の中心軸線に関して、左右対称に形成されている。なお、外周面電極端子２６は、素子２１の未焼成成形体において白金を主成分して、印刷されたメタライズペーストを同時焼成してなるものである。
【００２７】
さて、このように形成されてなる検出素子２１は、図１に示されるように、センサ１０１に組みまれた状態においては、後端寄り部位の内周面電極端子と、外周面電極端子２６に、内周面用端子金具７１と、外周面用端子金具９１とが、素子２１の後端寄り部位にそれぞれ、内嵌、外嵌されて電気的に接続されている。各端子金具及びその電気的な接続の構成、方法についての詳細は後述するが、いずれの端子金具も、後方に向けて延びるリード部７４、９４を備えており、そのリード部７４、９４における後方に設けられた圧着部７５，９５にて、リード線４１の端をカシメによって接続している。なお、本例では、内周面用端子金具７１、外周面用端子金具９１のリード部７４、９４、及び圧着部７５，９５は、素子２１の後方において、保護筒３１内に固定された絶縁材からなるセパレータ１１１において先後に貫通するよう設けられた各挿通孔１１３内を通されている。なお、セパレータ１１１はその外周面に設けられたフランジ１２２を介し、その先後に位置する保護筒３１の縮径部３６，３７に挟まれる配置で、保護筒３１内に固定されている。ただし、フランジ１２２の先端側には、上端部が内側に折り返し状に曲げられた円筒支持部材１４１が介在され、フランジ１２２の先後の位置決めを行うと共に、その先端側において保護筒３１を縮径状にカシメ加工することで固定されている。また、リード線４１は、保護筒３１内の後端に配置されたシール部材（ゴム）１３１の各挿通孔を通され外部に引き出されており、シール部材１３１は保護筒３１の後端をカシメ加工することで圧縮され、固定されている。なお、シール部材１３１の中央には基準ガス取り込み用のフィルタ１０２が設けられている。
【００２８】
次に、検出素子２１の後端寄り部位の外周面電極端子２６と接続される外周面用端子金具９１について説明する。この外周面用端子金具９１は、リード部９４の先端に、円筒の一側に、その母線に沿って切れた開口（切れ目）Ｍを有する形に金属板を折り曲げ形成してなる有端環状端子部９３を備えている。この有端環状端子部９３は横断面が概略Ｃ字形をなしており、自身のバネ性によって拡径状に変形して検出素子２１に外嵌され、素子２１の後端寄り部位の外周面を締め付け得るように形成されている。そして、図２に示したように、この有端環状端子部９３が検出素子２１に外嵌されているとき、その各端９２，９２相互の間をなす開口Ｍの軸線回りの角度βは、検出素子２１における外周面電極端子２６軸線回り角度αより小さくなるように設定されている。なお、有端環状端子部９３は、検出素子２１の後端寄り部位に外嵌めされた際には、自身の周方向の内周面のうち、両端９２，９２（又は各端の端寄り部位）、及びその両端の中間部位９２ｍが、検出素子２１の外周面に局所的に圧接され、残余の部位は素子２１の外周面と離間するように、その横断面が歪な円弧形状に形成されている。本例の有端環状端子部９３は、検出素子２１の後端寄り部位に外嵌めされた際において、それ自身の周方向の長さをなす、素子２１の軸線回りの角度γは、２７０度〜３００度の範囲をなすように設定されている。なお、リード部９４は、その先後方向の中間部位が幅広をなし、そこには、外側に突出する突出片部９７が切り込み形成されており、突出片部９７は、リード部９４がセパレータ１１１の挿通孔１１３に通されているとき、挿通孔１１３の内周面にそのバネ性により押付けられている。また、有端環状端子部９３の先端（図示下端）には、外広がり状に突出する複数の歯９８が、周方向に沿って設けられている。これは、有端環状端子部９３を検出素子２１の後端寄り部位に圧入する際のガイドをなすようにされている。
【００２９】
このような本例のセンサ１０１では、外周面用端子金具９１における有端環状端子部９３は、検出素子２１の後端寄り部位に外嵌されている状態においては次のような位置を保持している。すなわち、図２に示したように有端環状端子部９３は、外周面電極端子２６が形成されていない検出素子２１の外周面部位を周方向に跨ぎ、かつ、有端環状端子部９３の周方向の各端９２，９２側において、その左右の各端９２寄り部位が、外周面電極端子２６の周方向の端寄り部位に圧接されて電気的に接続されている。本例では、各端９２寄り部位が、同じ周長（略同じ軸線回りの角度）で重なる配置とされているが、各端９２が局所的に強く圧接されている。なお、この各端９２における重なりは異なる周長（略同じ軸線回りの角度）となる配置としてもよい。また、本例では、円筒部をなす有端環状端子部９３の高さ（素子の先後方向の寸法）は、図３、図４に示したように、検出素子２１における外周面電極端子２６の先後方向の幅より大きくされ、しかも、外周面電極端子２６は、有端環状端子部９３の先端寄り部位において、その先後方向の範囲内に納まる配置とされているため、接触面積が大きく確保されている。
【００３０】
上記したように、かかる端子接続構造を有する本例のセンサ１０１においては、検出素子２１の後端寄り部位に形成されている外周面電極端子２６が、素子２１の外周面において、従来のように全周に無端で連なるものでなく、軸線Ｇ回りに、例えば９０度〜１２０度の角度αの範囲で、周方向に延びる形で形成されているだけである。したがって、従来の外周面電極端子のように軸線回りに３６０度、すなわち、無端の円環をなすように形成されていたものと比べると、外周面電極端子２６の形成のために使用される貴金属の使用量を確実に大幅に減らすことができる。したがって、検出素子の低コスト化が図られる。
【００３１】
しかも、外周面用端子金具９１における有端環状端子部９３を、この外周面電極端子２６に対し、上記構成の配置において外嵌して圧接している。これにより、電気的な接続も、有端環状端子部９３の周方向の各端９２側において、その端９２又は端９２寄り部位の、少なくとも１箇所、すなわち、左右の各端９２において合わせて少なくとも２箇所で外周面電極端子２６に局所的に圧接させてなるものである。したがって、その接続の信頼性も保持される。
【００３２】
なお、図５に示したように、有端環状端子部９３の周方向の両端９２とも、検出素子２１の外周面の外周面電極端子２６に向かうように、各端寄り部位を折り曲げておき、その両端９２の先端において外周面電極端子２６に圧接させるようにしてもよい。また、図６に示したように、有端環状端子部９３の周方向の両端９２とも、検出素子２１の外周面より外方を向くように、各端寄り部位を折り曲げておき、その両端９２とも、その折曲げ部のコーナーにおいて外周面電極端子２６に強く圧接させるようにしてもよい。
【００３３】
なお、上記センサ１０１に使用されている検出素子２１の内周面電極端子と接続される内周面用端子金具（出力端子）７１も、基本的には、外周面用端子金具９１と同様に形成されている。すなわち、内周面用端子金具（出力端子）７１は、金属板を曲げるなどして、母線に沿って切れ目状の開口があり、自由状態において、素子２１の後端寄り部位の内径より外径が大きい円筒状部からなる嵌合部（有端環状端子部に相当）７３を備えており、この嵌合部７３を検出素子２１の後端からその内側に圧入して嵌合することで、内周面電極端子に圧接され、電気的に接続されている。また、上記形態では、素子２１の中空部の中には同検出素子２１を加熱するため、円断面で棒状（軸状）をなすヒータ６１が内挿されており、このヒータ６１は、内周面用端子金具７１における筒状の嵌合部７３の内側を通されている。因みに、このヒータ６１は、その後端寄り部位を、セパレータ１１１の先端面（下面）の中央に設けられた空孔内に挿入され、後端をその空孔の奥の底に当接して位置決め、配置されている。なお、ヒータ６１への通電用のリード線も、セパレータ１１１及びシール部材１３１の各挿通孔を通され外部に引き出されている。
【００３４】
さて次に、上記したガスセンサ１０１を製造する工程において、検出素子２１の外周面電極端子２６に外周面用端子金具９１の有端環状端子部９３を圧接させる方法の一例について説明する。ただし、本形態の酸素センサ１０１の製造においては、図７の左図の下に示した、金具本体１１に固定した検出素子２１を含む検出素子側半組立体２０１と、それ以外をなす図７の左図の上に示したような端子金具側半組立体３０１を、別途に組立てておき、この両半組立体２０１、３０１を用いることで、上記圧接を得るものとする。なお、この左図の端子金具側半組立体３０１は、保護筒３１及びシール部材１３１を後方にずらした状態で、ヒータ６１を一部省略して示している。
【００３５】
すなわち、図７の左図に示したように、端子金具側半組立体３０１を、その外周面用端子金具９１の有端環状端子部９３が、検出素子側半組立体２０１の後方（図示上方）において、検出素子２１と同軸線状となるように、各半組立体２０１，３０１を位置決め配置する。
【００３６】
このとき、検出素子２１を軸線Ｇ方向から見たとき、その外周面電極端子２６に対し、有端環状端子部９３の各端９２が、上記圧接が得られることになる正規位置の関係にあるように、適宜に少なくとも一方の半組立体を軸線回りに回転する。すなわち、本例では、図３、図４の左図に示したように、検出素子２１をその中継線部２５の中心が、有端環状端子部９３の各端９２の間の開口Ｍの中心に位置するように、半組立体を軸線Ｇ回りに回転して位置決めする。こうすることで、検出素子２１を軸線Ｇ方向から見たとき、有端環状端子部９３が、外周面電極端子２６が形成されていない素子２１の外周面部位を周方向に跨ぎ、かつ、有端環状端子部９３の周方向の各端９２，９２側において、該端又は該端寄り部位が、外周面電極端子２６に圧接されることになる位置関係となる。
【００３７】
そして、有端環状端子部９３又は検出素子２１を軸方向に移動する、すなわち、いずれかの半組立体２０１，３０１を所定ストローク移動し、有端環状端子部９３を検出素子２１の後端寄り部位に押込む（圧入する）。かくして、有端環状端子部９３は、バネ性により拡径されながらその後端寄り部位に外嵌され、周方向の各端９２側において、端９２又は該端寄り部位を外周面電極端子２６に対し、正規位置で圧接させることになる。なお、これと同時に、内周面電極端子には内周面用端子金具７１の嵌合部７３が圧接される。その後は、保護筒３１をセパレータ１１１に被せてシール材１３１を保護筒３１の後端部内に押込むことで、図７の右図に示したようにセンサ仕掛かり品１００が得られる。以後は、保護筒８１について、その先端側の外周を金具本体１１にレーザー溶接し、さらに、上記したようにカシメ加工をすることで、上記センサ１０１が得られる。
【００３８】
前記した押込み（圧入）で、素子２１に外周面用端子金具９１の有端環状端子部９３を外嵌する際には、素子２１の軸線Ｇ回りに対する有端環状端子部９３の位置決めを要する。このため、このような組立法を用いる場合においては、各半組立体を保持するチャック装置を有すると共に、これら各チャック装置が、検出素子２１又は有端環状端子部９３の軸線Ｇを中心として回転制御可能であり、かつ、少なくとも一方のチャック装置の移動により、上記した圧入ができるように構成された圧入装置を用いるとよい。この場合においては、圧入装置の正面に、保持された検出素子側半組立体２０１における検出素子２１における外周面電極端子２６をカメラで撮影して、その画像に基づいて、その軸線Ｇ回りの位置決めを行うとよい。具体的には次のようである。
【００３９】
各半組立体２０１，３０１を、それぞれチャック装置でチャックし、外周面用端子金具９１の有端環状端子部９３が、検出素子２１と同軸線状となるようにする。このとき、端子金具側半組立体３０１における有端環状端子部９３の開口Ｍの幅方向の中心が圧入装置における正確な正面（設定正面）を向くように、端子金具側半組立体３０１を保持しているチャック装置を回転し、位置決めする。端子金具９１については、有端環状端子部９３の両端９２のなす開口（形状の特異性）Ｍに基づき、その中心は容易に視認できるため、その位置決めは容易である。一方、素子２１は、形状における特異性がない円軸形状である。このため、有端環状端子部９３の開口Ｍに対応する素子２１の後端寄り部位をカメラ（例えば、ＣＣＤカメラ）で撮影して同部位を映像化（画像処理）しつつ、外周面電極端子２６の左右（軸線回り）の中心が圧入装置における正面を向くように、検出素子側半組立体２０１を保持しているチャック装置を適宜に回転する。そして、外周面電極端子２６の中心の位置が許容範囲内の正規位置にあるか否かを判定し、正規位置になったとき、その回転を止めて位置決めをすることとすればよい。なお、この判定は、外周面電極端子２６に対応して記録された基準パターンとの比較において行えばよい。
【００４０】
すなわち、このような比較によって判定する場合、外周面電極端子２６の形状全体と、基準パターンとの比較をすることとしてもよい。具体的には、外周面電極端子２６自体を位置識別部（目印）とし、この外周面電極端子２６を基準位置として、検出素子２１と有端環状端子部９３との軸線Ｇ回りの位置の関係が、上記圧接が得られることになる正規位置にあるかを検出し、正規位置にないとき、検出素子２１又は有端環状端子部９３を軸線回りに回転して正規位置となるように位置合わせすればよい。なお、外周面電極端子の形状全体と基準パターンとを比較する場合には、正面からの映像において、外周面電極端子の全体（周方向の左右両端）が判別できるように、外周面電極端子は、素子の軸線回りになるべく小さい角度αで形成しておくのが好ましい。ただし、外周面電極端子を、特異な形状としたり、基準位置となる位置識別部（目印）を別途に形成しておく場合には、その判定上、角度αが問題となることなく、外周面電極端子の正規位置が判定できる。なお、上記実施の形態では、中継線部２５を左右の幅方向の中心に設けているため、これを外周面電極端子２６の左右の中心を示す位置識別部（目印）となすことができる。
【００４１】
また、上記したように、検出素子２１における位置識別部は、外周面電極端子２６とは別途に設けてもよい。この場合には、図８に示したように（同図−Ｂ，Ｃ参照）、別途に設ける位置識別部１５０は、検出素子２１の外周面のうち、外周面電極端子２６が形成されている先後範囲内の領域において、外周面電極端子２６と離間した部位、すなわち、外周面電極端子２６が形成されていない素子２１の外周面の部位に設けるのが好ましい。別途に設ける位置識別部１５０を、このように、外周面電極端子２６が形成されている先後範囲内の領域に設けることとすれば、外周面電極端子２６を撮影する上記したカメラで、その判別が可能となるためである。また、このように別途に設ける位置識別部１５０は、外周面電極端子２６が設けられている正面（図８−Ａ参照、）とは反対側の部位、すなわち、その正面とは正反対である背面（図８−Ｂ参照）に設けるのがよい。そして、この場合には、圧入装置の背面にカメラを設けて、保持された検出素子側半組立体２０１における検出素子２１におけるその位置識別部１５０を撮影することとしてもよいが、正面に設けたカメラでこの位置識別部１５０を撮影して、これが正面にあると判定した後、検出素子２１と有端環状端子部９３とが正規位置の関係となるように、いずれか一方を、軸線Ｇ回りに１８０度回転するなど、適宜に回転して正規位置となるように位置合わせすればよい。なお、位置識別部１５０は本例では四角形としているが、適宜の形状とすればよい。
【００４２】
上記実施の形態においては、外周面電極端子２６の形状として、左右対称で１つの帯状のものとしたものを例示したが、以上の説明から明らかなように、その形状は任意のものとすることができる。また、単に線状（帯状）のものとする場合でも、図９に示したように、外周面電極端子２６を、検出素子２１の先後において平行であり、かつ該検出素子２１の外周面において軸線Ｇ回りに延びる複数の線状部２６ｂと、これら線状部２６ｂを連結する連結線２８とから形成してもよい。こうすることで、図９の右に示したように、有端環状端子部９３を素子２１に外嵌したときは、多数の箇所での圧接が得られるため、その分、電気的接続の信頼性が高められる。
【００４３】
なお、外周面電極端子は、任意形状としてもよいことから、検出素子の外周面を正面視したとき、図１０−Ａに示したように、中継線部２５を含めてＹ字形となるようにしてもよいし、図１０−Ｂに示したように、ひし形としてもよい。また、左右非対称の形状としてもよい。図１１は、その１例を示したものであり、いわゆる、並進対称、すなわち、左右に同形状部位が連続する模様形状として、外周面電極端子２６を形成したものである。上記したことから明らかなように、本発明において、検出素子に設ける外周面電極端子の形状は、本発明の上記構成の範囲内にあるかぎり、何ら限定されるものではない。
【００４４】
また、外周面用端子金具についても、適宜に変更を加えて具体化できる。たとえば、その有端環状端子部は、横断面において、馬蹄形として、その各端において、端又は端寄り部位が、素子の外周面の前記外周面電極端子の周方向における各端、又はその端寄り部位などに圧接されるとともに、外周面電極端子が設けられていない素子の外周面において、複数箇所で圧接されているものとしてもよい。すなわち、有端環状端子部が、前記検出素子に外嵌されている状態において、前記外周面電極端子が形成されていない該検出素子の外周面部位を周方向に跨ぎ、かつ、該有端環状端子部の周方向の各端側において該端又は該端寄り部位が、前記外周面電極端子に圧接されて電気的に接続されるものであればよいためである。
【００４５】
さらに、本発明のガスセンサは、上記した実施の形態のものに限定されるものではなく、本発明の要旨を逸脱しない限りにおいて、適宜にその構造、構成を設計変更できる。また、上記においては、酸素センサにおいて具体化したが、その他のガスセンサにおいても同様に具体化できる。
【符号の説明】
【００４６】
２１  検出素子
２２  検出素子の先端
２６  検出素子の外周面電極端子
９１  外周面用端子金具
９３  外周面用端子金具の有端環状端子部
１０１  ガスセンサ
１５０  位置識別部
Ｇ  検出素子の軸線
Ｍ  有端環状端子部の各端相互の間をなす開口
【図１】
2014002052.tif 000003
【図２】
2014002052.tif 000004
【図３】
2014002052.tif 000005
【図４】
2014002052.tif 000006
【図５】
2014002052.tif 000007
【図６】
2014002052.tif 000008
【図７】
2014002052.tif 000009
【図８】
2014002052.tif 000010
【図９】
2014002052.tif 000011
【図１０】
2014002052.tif 000012
【図１１】
2014002052.tif 000013
【図１２】
2014002052.tif 000014
【図１３】
2014002052.tif 000015